(57)【特許請求の範囲】
【請求項１】
開閉体を取り付ける機器本体側に回動開閉可能に取り付ける開閉体のヒンジ支持部構造において、
前記開閉体は、該開閉体を回動開閉可能に支持するために前記開閉体と前記機器本体との間に取り付けるヒンジを支持する部位であって、閉じた時に前記機器本体側へ向き合う前記開閉体の取り付け部位に、前記ヒンジを受け入れるためのヒンジ部品と、外周面が曲面状のカバーを装着してなり、
前記カバーは、前記ヒンジ部品を覆うとともに、前記取り付け部位よりも前記機器本体側へ湾曲して突出する中空の部材であり、
前記開閉体の前記ヒンジ部品を取り付けた部位の下側の部位に凹部を備え、
該凹部に、前記開閉体を取り付ける機器本体側に設けられて前記ヒンジを装着固定するヒンジ固定部品を収納する、
ことを特徴とする開閉体のヒンジ支持部構造。
【請求項２】
請求項１に記載の開閉体のヒンジ支持部構造であって、
前記カバーは、前記開閉体へ取り付けた状態での上側が閉じた形状を有することを特徴とする開閉体のヒンジ支持部構造。
【請求項３】
請求項１または２に記載の開閉体のヒンジ支持部構造を用いた機器であって、
前記機器本体側に取り付けて前記ヒンジ固定部品を覆うヒンジカバーを設け、
前記ヒンジカバーを前記ヒンジ固定部品とともに前記開閉体の前記凹部に収納してなることを特徴とする機器。
【請求項４】
請求項３に記載の機器であって、
前記ヒンジ固定部品を固定する前記機器本体側の部材に、前記ヒンジ固定部品と前記ヒンジカバーとを前記開閉体側へ突出させる開口を設けてなることを特徴とする機器。
【請求項５】
請求項３また４の機器が、画像形成部と、開閉するドアを備える画像形成装置であり、請求項１または２の開閉体のヒンジ支持部構造を前記ドアの支持に用いたことを特徴とする画像形成装置。
【請求項６】
請求項３また４の機器が、画像形成装置の周辺機器であり、開閉するドアを備え、請求項１または２の開閉体のヒンジ支持部構造を前記ドアの支持に用いたことを特徴とする画像形成装置。
【発明の詳細な説明】
【技術分野】
【０００１】
本発明は、ドア等の開閉体のヒンジ部分の支持部構造に関し、詳細にはカート等の移動体との衝突による破損防止を図ったヒンジ支持部構造、同構造を用いた機器、画像形成装置、画像形成装置の周辺機器に関する。
【背景技術】
【０００２】
画像形成装置や、その周辺機器、例えば排紙された用紙を大量に収納するための用紙スタック装置には、用紙取り出し用のカート等の移動体が装備されているものがある。このような用紙スタック装置においてカートを取り出すには、ドア（多くは前ドア）を開け、大量に用紙が載ったカートを引き出すことになる。  
【０００３】
このようにカートを取り出す際、またはカートを用紙スタック装置内へ入れる際、前ドアのヒンジ部分にカートを衝突させてしまい、ヒンジ部分を破損させてしまう可能性がある。  
【０００４】
特許文献１には、複数のヒンジの取付作業において、ヒンジセンタの調節作業の簡略化を図るとともに、その作業専用の治具を不要として、作業性の向上ならびにコストダウンを図るとともに、バックドアを開閉した際にも、ヒンジ部分がカバーに覆われるようにして、カバー性能の向上を図るために、ヒンジカバーの内側に、ドア側ヒンジの軸部が挿入される凹形の軸部当接面を形成し、軸部当接面に車体側ヒンジの軸部端が当接するようこのヒンジをヒンジカバーに固定し、ヒンジカバーに、車体側ヒンジとドア側ヒンジとが相対回動するのを許容する切欠部を設け、ヒンジカバーの軸部当接面が、半円の円弧形状に形成され、かつ、車体側ヒンジの軸部端が軸部当接面の円弧形状の内周面と一致する円弧形状の外周面を有するよう構成した発明が記載されている。  
【０００５】
特許文献２には、簡単な構成を採用しながらも、電子レンジのドアが本体から抜けやすくなることがないようにし、また、電子レンジのドアヒンジ取付の作業性を高めるようにした電子レンジのドアヒンジ取付装置を提供するために、電子レンジの本体に設けられ、ドアを支持すると共に、その回転中心になるヒンジ板と、前記ドアを構成するドアフレームの裏面に設けられ、前記ヒンジ板と対応する部分に前記ヒンジ板が挿入される取付空間を形成するチョークカバーと、前記ヒンジ板が前記取付空間に挿入され、ドアを回転自在に支持した状態で、前記ヒンジ板の下降を遮断するように、前記ヒンジ板とチョークカバーとの間に位置し、ヒンジ板を支持する支持リブとを備えて構成する発明が記載されている。  
【０００６】
特許文献３には、取付作業工数が小さく、ドアヒンジ専用カバーが不必要で、みきり幅調整にスペーサーを使用しない自動車のドア取付構造を提供するために、略く字状に屈曲した２枚の板材の凸面を同じ向きにしてそれらの端部を結合して開閉自在にしたドアヒンジと、ドアインナーとドアアウターを接合してなる閉断面形状のドアパネルと、車両側部に配設したサイドボディとを備え、上記ドアヒンジの一方の板材を上記ドアパネルに固定し、他方の板材を上記サイドボディの後端面に車両後方向から固定すると共に、このドアヒンジ取付部をテールランプ、またはリヤバンパーで覆ったことによる。  
【０００７】
特許文献４には、バックドアを閉じた状態で建付け調整ができ、バックドア開口部の開口寸法を大きく取れ、かつヒンジ部材の取付強度の優れたバックドアヒンジの取付構造を提供するために、車体のリヤピラーの車幅方向面の表面側に横開き式バックドアの車体側ヒンジ部材を配置し、裏面側にレインフォースメントを配置した状態で、両者を締結具により締結固定し、バックドアの側端部の前後方向面の表面側にバックドア側ヒンジ部材を配置し、裏面側にレインフォースメントを配置した状態で、両者を締結具により締結固定し、車体側ヒンジ部材とバックドア側ヒンジ部材は、車体側ヒンジ部材の車幅方向内側端部に設けられた回動中心軸を介して水平方向に回動可能に連結され、リヤピラーには、車体側およびバックドア側のヒンジ部材を覆い、かつリヤピラーおよびバックドアの外面とほぼ連続する外面を有するリヤコンビネーションランプが装着されるようにした発明が記載されている。
【発明の概要】
【発明が解決しようとする課題】
【０００８】
そこで本発明においては、ドア等の開閉体のヒンジ部分の支持部構造において、カート等の移動体との衝突を想定して破損防止を図ったヒンジ支持部構造、同構造を用いた機器、画像形成装置、画像形成装置の周辺機器を提供することを目的とする。
【課題を解決するための手段】
【０００９】
本発明に係る開閉体のヒンジ支持部構造は、開閉体を取り付ける機器本体側に回動開閉可能に取り付ける開閉体のヒンジ支持部構造において、前記開閉体は、該開閉体を回動開閉可能に支持するために前記開閉体と前記機器本体との間に取り付けるヒンジを支持する部位であって、閉じた時に前記機器本体側へ向き合う前記開閉体の取り付け部位に、前記ヒンジを受け入れるためのヒンジ部品と、外周面が曲面状のカバーを装着してなり、前記カバーは、前記ヒンジ部品を覆うとともに、前記取り付け部位よりも前記機器本体側へ湾曲して突出する中空の部材であり、前記開閉体の前記ヒンジ部品を取り付けた部位の下側の部位に凹部を備え、該凹部に、前記開閉体を取り付ける機器本体側に設けられて前記ヒンジを装着固定するヒンジ固定部品を収納する、ことを特徴とする。
【００１０】
本発明に係る機器は、前記本発明に係る開閉体のヒンジ支持部構造を用いた機器であって、前記機器本体側に取り付けて前記ヒンジ固定部品を覆うヒンジカバーを設け、前記ヒンジカバーを前記ヒンジ固定部品とともに前記開閉体の前記凹部に収納してなることを特徴とする。
【００１１】
本発明に係る画像形成装置は、前記本発明に係る機器が、画像形成部と、開閉するドアを備える画像形成装置であり、前記本発明に係る開閉体のヒンジ支持部構造を前記ドアの支持に用いたことを特徴とする。  
【００１２】
また本発明に係る画像形成装置は、前記本発明に係る機器が、画像形成装置の周辺機器であり、開閉するドアを備え、前記本発明に係る開閉体のヒンジ支持部構造を前記ドアの支持に用いたことを特徴とする。
【発明の効果】
【００１３】
本発明によれば、ドア等の開閉体のヒンジ部分の支持部構造において、カート等の移動体との衝突によるヒンジやその支持部の破損を防止する構造、同構造を用いた機器、画像形成装置、画像形成装置の周辺機器を提供できる。
【図面の簡単な説明】
【００１４】
【図１】画像形成システムの一例を示す外観図
【図２】用紙スタック装置の内部構成の一例を示す正面図
【図３】本発明に係る実施形態の要部分解斜視図
【図４】ヒンジ部の仕組みを示す斜視図
【図５】前ドア１側のヒンジ部へヒンジ部品とカバーとを取り付ける順序（Ａ）と、取付後の形態（Ｂ）を示す斜視図
【図６】ヒンジ部を拝命が分からみた斜視図
【図７】ヒンジと台車の関係を示す平面図
【発明を実施するための形態】
【００１５】
ドア等の開閉体のヒンジ部分の支持部構造において、カート等の移動体との衝突を想定してヒンジ部分の破損防止を図るという目的を、ヒンジ部分にカバーをすることで実現した。  
【００１６】
図１は、画像形成システムの一例を示す外観図であり、図の中央に位置する画像形成ユニット１に、大量給紙ユニット２と用紙スタック装置３ａと、綴じ等を行う後処理装置３ｂとを組み合わせて構成してある。画像形成ユニット１は、図示は省略するが画像形成を行う作像部を内蔵し、外部には、大量給紙ユニット２側にトナーボトル収納部５を備えている。また、トナーボトル収納部５の天井面上部には操作用ディスプレイ６がアーム７を介して角度可変に設けてある。画像形成ユニット１の下部には給紙部８を備えている。なお、上面の用紙スタック装置３ａ寄りの位置に自動原稿給紙装置（ＡＤＦ）を設ける構成などもある。  
【００１７】
図中９は、給紙部８が備えている給紙トレイ、１０は給紙トレイ９の前カバーである。また画像形成ユニット１は、前ドア１４に取っ手１５を、大量給紙ユニット２は給紙段１６に操作用の取っ手１７を、用紙スタック装置３ａと後処理装置３ｂは、前ドア１８ａ、１８ｂにそれぞれ取っ手１９を備えている。また図中２０は、カバーやトレイが存在することを操作者に視認させるための発光部である。  
【００１８】
図２は、用紙スタック装置３ａの内部構成の一例を示す正面図である。この用紙スタック装置３ａは、ユニット本体２１の上部に一の排紙部２２を備え、内部にスタッカー２３を備え、スタッカー２３により集積した大量の用紙を搬出するためのカート２４をスタッカー２３に連携させて備えている。図中２５、２５はカート２４を移動させるためのガイドである。  
【００１９】
このような用紙スタック装置３ａにおいてユーザが前ドア１８ａを開けてカート２４を取り出すか、またはカート２４を内部へ入れる際、前ドア１８ａのヒンジ部２７、２７にカート２４が衝突する可能性がある。カート２４は、大量の用紙を搭載可能なようにある程度、高い強度を有する構造を持つため、カート２４の角部等がぶつかるとヒンジ部２７やその周辺部位が破損してしまう可能性があることは既述のとおりである。  
【００２０】
そこで本実施形態では、後述するように、カート２４などとの衝突を想定してヒンジ部２７に曲線形状のカバーを取り付けることで破損を防止するようにしている。  
【００２１】
図３は、本発明に係る実施形態の要部分解斜視図である。前ドア１８ａの上下のヒンジ部２７において同一構造としてあるので、以下では上側のヒンジ部２７について説明し、下側のヒンジ部２７については説明を省略する。なお、カート２４がぶつかりやすいのはもちろん下側のヒンジ部２７である。  
【００２２】
前ドア１８ａ側のヒンジ部２７は、ヒンジ３０を受け入れるための凹部形状を備えたヒンジ部品３１、ヒンジ部品３１を前ドア１８ａの背面側に取り付けた状態で、その上から固定する中空で断面が円弧状のカバー３２から構成する。ヒンジ部品３１は溝型に折り曲げた部材で、中央の凹部にヒンジ３０の先端がハマるようになっている。ヒンジカバー３２は、上側のヒンジ部２７の場合は上側を閉じた形状で、ヒンジ部品３１にヒンジ３０を取り付けた状態で、前ドア１８ａにビス止めするようになっている。なおヒンジ部品３１は前ドア１８ａの背面にビス止めする。図示の例では、ヒンジ部品３１とカバー３２はビス穴を一致させて一箇所を一つのビスで固定できるようにしてある。
【００２３】
用紙スタック装置３ａ側のヒンジ部は、ユニット本体である用紙スタック装置３ａの構成部材２１にカバー部材３３を装着して構成するものであり、カバー部材３３は、ヒンジ固定部品３４を装着固定するための開口３５が設けてあり、ヒンジ固定部品３４は開口３５に嵌着し、構成部材２１にビス止めするようになっている。またヒンジ固定部品３４は、ヒンジ３０を装着するための中空円筒状のヒンジ装着部３６を備えている。図中３７はヒンジカバーで、ヒンジ固定部品３４に取り付けてヒンジ固定部品３４を覆うように構成してある。なお、このヒンジカバー３７も構成部材２１にビス止めするようになっている。
【００２４】
なお図４から良くわかるように、前ドア１８ａ側のヒンジ部２７は、ヒンジ部品３１とカバー３２を取り付けた下部側に凹み３８が形成してあり、ユニット本体の構成部材２１側に取り付けたヒンジ固定部品３４とヒンジカバー３７を収容できるようになっている。
【００２５】
図５は、前ドア１８ａ側のヒンジ部２７へヒンジ部品３１とカバー３２とを取り付ける順序（Ａ）と、取付後の形態（Ｂ）を示す斜視図である。  
【００２６】
図６は、図５の状態で取り付けた前ドア１８ａ側のヒンジ部２７へ用紙スタック装置３ａ側のヒンジ部を組み付けた状態の斜視図である。  
【００２７】
図７は上述のように組み立てた用紙スタック装置３ａの正面図である。カート２４をまっすぐに出し入れしているぶんには問題ないが、大量の用紙を積載している場合等に重量があるために、図７の左右方向に進行がブレることがある。その場合、カート２４の端部等が上述してきたヒンジ部にぶつかるが、ヒンジ部の構成が、ヒンジ３０をカバー３２、３７でいわば二重に覆っており、かつカバー３２、３７の外周面が筒状であるため、カート２４がまともに衝突することを防ぐことができ、衝突したとしても、ヒンジ３０の損傷による前ドア１８ａへの影響を極力少なくすることが可能である。  
【００２８】
なお以上の説明においては、用紙スタック装置３ａについてのみ説明したが、その他の機器においても同様の構造を採用できることは明らかであるので、説明を省略する。
【符号の説明】
【００２９】
１：画像形成ユニット１
２：大量給紙ユニット
３ａ：用紙スタック装置
３ｂ：後処理装置
５：トナーボトル収納部
６：操作用ディスプレイ
７：アーム
８：給紙部
９：給紙トレイ
１０：取っ手
１４：前ドア
１５：取っ手
１６：給紙段
１７：取っ手
１８ａ、１８ｂ：前ドア
１９：取っ手
２０：発光部
２１：ユニット本体の構成部材
２２：排紙部
２３：スタッカー
２４：カート
２５：ガイド
２７：ヒンジ部
３０：ヒンジ
３１：ヒンジ部品
３２：カバー
３３：カバー部材
３４：ヒンジ固定部品
３５：開口
３６：ヒンジ装着部
３７：ヒンジカバー
３８：凹み
【先行技術文献】
【特許文献】
【００３０】
【特許文献１】特開２００１‐２７７８５６号公報
【特許文献２】特開２００４‐０２０１８０号公報
【特許文献３】特開平１０‐０１６５６７号公報
【特許文献４】特開平１０‐２０３１７０号公報
【図１】
0005794418.tif 000002
【図２】
0005794418.tif 000003
【図３】
0005794418.tif 000004
【図４】
0005794418.tif 000005
【図５】
0005794418.tif 000006
【図６】
0005794418.tif 000007
【図７】
0005794418.tif 000008